(57)【特許請求の範囲】
【請求項１】
本体内に、ベルマウスを下部に備えた送風機と、ドレンパンを下部に備えた熱交換器と、前記ベルマウスと前記ドレンパンとの間に備えた電装部とが設けられ、前記ドレンパンに排水口と、同排水口を封止するドレンキャップとが設けられ、前記本体下部にコーナ部に着脱可能なコーナパネルを備えた化粧パネルが装着され、同化粧パネルの内周縁に、前記電装部に向かう表示部用配線の第一配線口と、オプション機器用配線の第二配線口とが設けられてなる空気調和機において、
前記第二配線口は、前記ドレンキャップの近傍に設けられ、前記化粧パネルに装着され前記ドレンキャップの結露を防ぐ保護部材に形成された閉塞部により閉塞されてなることを特徴とする空気調和機。
【請求項２】
前記閉塞部は、前記オプション機器用の配線時に切除されて前記第二配線口を開放することを特徴とする請求項１に記載の空気調和機。
【発明の詳細な説明】
【技術分野】
【０００１】
本発明は、天井埋込形の空気調和機に係わり、より詳細には、化粧パネルに設けられたオプション機器用の配線口に、表示部用の配線が誤配線されるのを防止できるようにした構成に関する。
【背景技術】
【０００２】
従来の天井埋込形の空気調和機は、本発明によるものとして図１（Ａ）および図１（Ｂ）と、図２とに示す構成と同様に、天井内に設置される本体１内に、ベルマウス２１を下部に備えた送風機２と、ドレンパン６を下部に備えた熱交換器４と、ベルマウス２１とドレンパン６との間に備えた電装部３とが設けられ、ドレンパン６には排水口と、この排水口を封止するドレンキャップ７とが設けられている。
【０００３】
本体１の下部には、着脱可能なコーナカバー５７をコーナ部に備えた化粧パネル５が装着されており、コーナカバー５７の一つには、例えばリモコンからの運転情報を受信する受光部や、運転情報を表示する表示部１１を備えている。化粧パネル５の内周縁のコーナ部側面には、電装部３に向かう表示部１１用の配線を導出する第一配線口５４と、オプション機器用の配線を導出する第二配線口５５とが対向する位置に設けられている。
【０００４】
そして、本体内のドレンパンに装着されているドレンキャップは、安価で露付きを防止する性能がよく、かつサービス性のよいものとして、化粧パネルの内周縁のコーナ部近傍にある排水口に装着されているドレンキャップと、ドレンキャップの外れ防止用の樹脂製ドレンキャップカバー（保護部材）とを一体成形するとともに、ドレンパンにドレンキャップカバー（保護部材）の係止部を設けたものが開示されている（例えば、特開２００７−５７１０８号公報参照）。
【０００５】
しかしながら、例えばドレンパンの下部に装着される化粧パネルの内周縁に、空気清浄ユニットやエアフィルタ用の清掃ユニットといったオプション機器を設けた場合の配線を電装部に接続するため、この配線を電装部に向けて導出するための配線口が設けられているが、こうしたオプション機器を設けない場合には、例えばリモコンからの運転情報を受信する受光部や、運転情報を表示する表示部を備えたコーナカバーが化粧パネルの他のコーナ部に誤配置されて、オプション機器配線用の配線口から配線が導出されないようにするため、このオプション機器配線用の配線口を塞いでおくことで誤配線を防止する必要があった。
【特許文献１】特開２００７−５７１０８号公報
【発明の開示】
【発明が解決しようとする課題】
【０００６】
そこで、本発明は上述した課題を解決するためになされたものであって、その目的は、化粧パネルに設けられたオプション機器用の配線口に、表示部用の配線が誤配線されるのを、簡便な構成で防止できるようにした天井埋込形の空気調和機を提供することにある。
【課題を解決するための手段】
【０００７】
上述した目的を達成できるように、本発明は以下に示す特徴を備えている。
【０００８】
本体内に、ベルマウスを下部に備えた送風機と、ドレンパンを下部に備えた熱交換器と、前記ベルマウスと前記ドレンパンとの間に備えた電装部とが設けられ、前記ドレンパンに排水口と、同排水口を封止するドレンキャップとが設けられ、前記本体下部にコーナ部に着脱可能なコーナパネルを備えた化粧パネルが装着され、同化粧パネルの内周縁に、前記電装部に向かう表示部用配線の第一配線口と、オプション機器用配線の第二配線口とが設けられてなる空気調和機において、
前記第二配線口は、前記ドレンキャップの近傍に設けられ、前記化粧パネルに装着され前記ドレンキャップの結露を防ぐ保護部材に形成された閉塞部により閉塞されてなることを特徴としている。
【０００９】
また、前記閉塞部は、前記オプション機器用の配線時に切除されて前記第二配線口を開放することを特徴としている。
【発明の効果】
【００１０】
本発明によれば、化粧パネルに設けられたオプション機器用の配線口に、表示部用の配線が誤配線されるのを、簡便な構成で防止できるようにした天井埋込形の空気調和機を提供できる。
【発明を実施するための最良の形態】
【００１１】
次に、本発明の実施形態について図面を参照しながら説明する。
【００１２】
図１は本発明による天井埋込形の空気調和機の説明図で、（Ａ）は断面図、（Ｂ）は下方からの斜視図であり、図２は本発明による天井埋込形の空気調和機を吸込グリルを取り外して下方からみた矢視図であり、図３は本発明による天井埋込形の空気調和機の要部説明図で、（Ａ）は斜視図、（Ｂ）は図３（Ａ）に示すＡ部の拡大図、（Ｃ）は図３（Ａ）に示すＡ部の下方からの矢視図であり、図４は本発明による天井埋込形の空気調和機の要部説明図で、（Ａ）は図３（Ｃ）に示すＢ−Ｂ断面図、（Ｂ）は図３（Ａ）に示すＡ部に保護部材を装着する下方からの分解矢視図であり、図５は本発明による天井埋込形の空気調和機の要部説明図で、（Ａ）は図３（Ａ）に示すＡ部に保護部材を装着する分解斜視図、（Ｂ）は図３（Ａ）に示すＡ部に保護部材を装着した斜視図である。
【００１３】
本発明による天井埋込形の空気調和機は、天井内壁面から図示しない複数の吊下げボルトによって掛架され、図１（Ａ）および図１（Ｂ）と、図２とに示すように、下面が開放された多角形状の本体１と、この本体１の開放された下面に装着され、室内の天井下面に密着する化粧パネル５とで外郭筐体を構成している。
【００１４】
化粧パネル５の中央開口部には、平行に並べられた複数の桟からなる格子状の吸込グリルを備えた吸込口５１が形成されるとともに、吸込口５１の裏面に不織布等からなるエアフィルタが着脱可能に装着された吸込グリルの周縁部には、風向偏向板５３を回動可能に枢支した吹出口５２が形成されている。
【００１５】
吸込口５１と吹出口５２とを結ぶ空気通路には、吸込グリルに面するベルマウス２１を下部に備えた送風機２と、この送風機２を囲繞するように形成され、平行に並べられた多数のフィンと、このフィンに直交する伝熱管とからなる熱交換器４とが配設され、吸込口５１からベルマウス２１を介して吸い込まれた室内の空気は熱交換器４によって熱交換されたのち、風向偏向板５３によって風向が偏向されながら、送風機２によって吹出口５２から再び室内に送出されるようになっている。
【００１６】
熱交換器４の下部にはドレンパン６が設けられており、熱交換器４から滴下した凝縮水はドレンパン６で受けたのち外部に排出されるようになっている。また、ベルマウス２１の外側であってドレンパン６の下部には化粧パネル５が装着され、ベルマウス２１と化粧パネル５の内周縁との間に電装部３が設けられ、この電装部３から送風機２、フロートスイッチ１２およびドレンポンプ１３や風向偏向板５３用のモータ５６などに電力供給されるようになっている。
【００１７】
ドレンパン６には、図２と、図３（Ａ）乃至図３（Ｃ）とに示すように、メンテナンス時にドレン水を排出するための排水口６１と、この排水口６１を封止するためのドレンキャップ７とが設けられている。
【００１８】
化粧パネル５の内周縁のドレンキャップ７の近傍となるコーナ部の側面には、電装部３に向かう図３（Ａ）乃至図３（Ｃ）に示すようなオプション配線用の第二配線口５５が設けられており、この第二配線口５５の内部には配線路が形成されている。
【００１９】
オプション配線用の第二配線口５５は、図２に示すように、化粧パネル５のコーナ部近傍にドレンポンプ１３が設けられる他に、例えば、図示しない空気清浄ユニット、エアフィルタ用の清掃ユニット、もしくはフレッシュエア導入用の導入ユニットなどのオプション機器が設置された場合に、これらのオプション配線を電装部３に向けて導出するために使用される。
【００２０】
また、オプション機器が設置されない場合には、オプション配線用の第二配線口５５を塞いでおくことにより、該箇所において、オプション機器以外の配線がされてしまうといった誤配線を確実に防止できるようにしておく必要がある。
【００２１】
これは、オプション配線用の第二配線口５５と対角線をなす化粧パネル５内周縁のコーナ部側面には、図２に示すように、例えばリモコンからの運転情報を受信する図示しない受光部や、運転情報を表示する表示部１１用の配線をするための第一配線口５４が設けられ、この第一配線口５４の内部には配線路が形成されているが、この受光部や表示部１１を備えたコーナカバー５７が、類似した形状でなるオプション配線用の第二配線口５５の近傍に誤って取り付けられるおそれがあるため、このような場合に、取付位置が違うことにより電装品３まで導くための配線の長さが不足してしまうことになって、初めて誤って取り付けたことに気付くことになるといった無駄が生じないようにするためである。
【００２２】
受光部や表示部１１は、一つのコーナカバー５７に備えられた構成になっており、このコーナカバー５７が化粧パネル５のコーナ部に取り付けられる際、取付位置が違うことにより電装品３まで導くための配線の長さが不足してしまうことによって、取付位置が違うのではなく、配線の長さの方が不具合のため不足していると勘違いをしてしまうことがあり得る。
【００２３】
こうしたことは、工場出荷時には、例えばビル用の天井埋込形の空気調和機として化粧パネル５のコーナ部に着脱可能に装着されるコーナカバー５７に、受光部や表示部１１を備えていない所謂ワイヤードリモコン型として出荷し、出荷後に、コーナカバー５７に受光部や表示部１１を備えたワイヤレスリモコン型のものに交換しモデルチェンジをして設置するような場合に起きるおそれがあるので、本発明では、受光部や表示部１１を備えたコーナカバー５７が誤配置されることによって、その配線が誤配線でオプション配線用の第二配線口５５から導出されてしまうのを防止している。
【００２４】
また、ドレンキャップ７は、ドレンパン６が低温の凝縮水を受けた際、ドレンキャップ７の表裏部に触れるこの凝縮水と室内空気との温度差によって結露が生じてしまうことから、とくに室内空気が触れる裏面部には断熱部材を設けるなどの対策を講じる必要があるが、例えば該箇所に断熱材を貼り付けただけでは剥がれやすいという問題があった。
【００２５】
そのため、本発明においては、オプション配線用の第二配線口５５を使用しない場合、この第二配線口５５を塞ぐための部材と、ドレンキャップ７への結露を防止するため、簡単に剥がれてしまわない構造にした部材とを一体化した保護部材として形成することで、簡便な構成であって、且つ取付作業に手間が掛からないようにした構成によって第二配線口５５を塞ぐことができるようにしている。
【００２６】
次に、図２乃至図５に基づいて、ドレンパン６の排水口６１に装着されているドレンキャップ７と、このドレンキャップ７の近傍となる化粧パネル５に設けられたオプション配線用の第二配線口５５との配置を説明するとともに、ドレンキャップ７への結露を防止し、且つオプション配線用の第二配線口５５を塞ぐことにより、この第二配線口５５において、運転情報を受信する受光部や運転情報を表示する表示部１１用の配線の誤配線が起きないように保護するための保護部材８について詳細に説明する。
【００２７】
ドレンパン６の排水口６１は、図３（Ａ）乃至図３（Ｃ）に示すように、吸込グリルを取り外した状態で化粧パネル５の下方から視認できるように、この化粧パネル５のコーナ部近傍に設けられている。
【００２８】
ドレンパン６の排水口６１には封止用のドレンキャップ７が装着されており、メンテナンス時には、このドレンキャップ７を取り外すことによって排水口６１からドレンパン６内のドレン水を排出できる。
【００２９】
ドレンパン６内のドレン水は熱交換器４から滴下した低温の凝縮水であって、この凝縮水が排水口６１に装着されたドレンキャップ７の表面側に触れることになる一方、ドレンキャップ７の裏面側には室内空気が触れることになる。
【００３０】
そのため、凝縮水と室内空気との温度差の影響により、そのままではドレンキャップ７の裏面側に結露が生じることになって、この結露が吸込グリルを介して被空調室内に滴下してしまうおそれがある。
【００３１】
また、ドレンキャップ７の近傍には、図３（Ｂ）および図３（Ｃ）に示すように、化粧パネル５の内周縁のコーナ部側面に設けられたオプション配線用の第二配線口５５が配置されている。
【００３２】
なお、オプション配線用の第二配線口５５は、化粧パネル５の内周縁のコーナ部の側面に設けられているが、このコーナ部の側面に限らず、このコーナ部の近傍の側面であって、化粧パネル５の装着部９に装着される保護部材８に一体形成された閉塞部８３が対向する位置に配置されていればよい。
【００３３】
そして、閉塞部８３は、保護部材８に立設するように保護部材８に一体形成され、第二配線口５５を塞ぐため第二配線口５５に対向する位置であって、化粧パネル５の内周縁に当接するように形成されている。
【００３４】
上述した受光部や表示部１１が誤配置され、その配線が第一配線口５４ではなくオプション配線用の第二配線口５５に誤配線されてしまわないように、化粧パネル５の下面に設けられた装着部９に装着される保護部材８によって第二配線口５５を塞いで保護する際、同時に、図４（Ａ）に示すように、ドレンキャップ７の裏面側に、保護部材８に一体化された当接部８２を断熱材８１を介して当接することにより、該箇所に結露を生じさせないように断熱できる構成になっている。
【００３５】
化粧パネル５には、図３（Ｃ）および図４（Ｂ）と、図５（Ａ）および図５（Ｂ）に示すように、保護部材８が装着される複数の凹陥状の装着部９が設けられ、保護部材８には装着部９に対応する凸状の装着片８４が設けられた構成になっており、この装着片８４に設けられた取付孔９２に取付ねじを通し、装着部９に設けられたねじ孔９１に螺着することによって保護部材８が化粧パネル５の装着部９に装着される。
【００３６】
その際、保護部材８によりドレンキャップ７および第二配線口５５を押圧した状態でこの保護部材８を仮固定できるように、保護部材８および化粧パネル５に仮固定部１０が設けられている。
【００３７】
仮固定部１０は、複数の装着部９の両側に設けられた係止孔１０１と、この係止孔１０１に対応して装着片８４の両側に突設された係止爪１０２とで構成され、保護部材８は、装着片８４や係止爪１０２が弾性変形しながら係止孔１０１に係脱可能に係止されることによって仮固定される。
【００３８】
仮固定時には、保護部材８の当接部８２により断熱材８１を介してドレンキャップ７を押圧し、また、閉塞部８３により第二配線口５５を押圧しているので、保護部材８はガタつきのない状態でほぼ固定状態に近い強固さで仮固定され、その後、取付孔９２に通した取付ねじを装着部９のねじ孔９１に螺着されて強固に固定される。
【００３９】
保護部材８はガタつきなく仮固定され強固にねじ締め固定されることで、ドレンキャップ７に、断熱材８１を介して保護部材８の当接部８２を当接させ正確に断熱できるようになり、また、第二配線口５５に、保護部材８に形成した閉塞部８３を当接させ正確に塞ぐことができるようになる。
【００４０】
これによって、化粧パネル５に設けられたオプション配線用の第二配線口５５に対し、受光部や表示部１１用配線の誤配線が起きないように保護できるようになり、また、保護部材８に閉塞部８３を一体成形した簡便な構成で、ドレンキャップ７に結露するのを防止できるようになる。
【００４１】
なお、保護部材８の閉塞部８３は、図５（Ａ）および図５（Ｂ）に破線で示す位置に、例えば薄肉部を形成してなるノックアウト部８５を設けることによって該箇所から切除可能な構成にしてもよい。
【００４２】
そして、オプション配線用の第二配線口５５を保護部材８の閉塞部８３で塞がなくてもよい場合には、ノックアウト部８５によって閉塞部８３をポキリと切除すればよい。
【図面の簡単な説明】
【００４３】
【図１】本発明による天井埋込形の空気調和機の説明図で、（Ａ）は断面図であり、（Ｂ）は下方からの斜視図である。
【図２】本発明による天井埋込形の空気調和機を吸込グリルを取り外して下方からみた矢視図である。
【図３】本発明による天井埋込形の空気調和機の要部説明図で、（Ａ）は斜視図であり、（Ｂ）は図３（Ａ）に示すＡ部の拡大図であり、（Ｃ）は図３（Ａ）に示すＡ部の下方からの矢視図である。
【図４】本発明による天井埋込形の空気調和機の要部説明図で、（Ａ）は図３（Ｃ）に示すＢ−Ｂ断面図であり、（Ｂ）は図３（Ａ）に示すＡ部に保護部材を装着する下方からの分解矢視図である。
【図５】本発明による天井埋込形の空気調和機の要部説明図で、（Ａ）は図３（Ａ）に示すＡ部に保護部材を装着する分解斜視図であり、（Ｂ）は図３（Ａ）に示すＡ部に保護部材を装着した斜視図である。
【符号の説明】
【００４４】
１  本体
２  送風機
２１  ベルマウス
３  電装部
４  熱交換器
５  化粧パネル
５１  吸込口
５２  吹出口
５３  風向偏向板
５４  第一配線口
５５  第二配線口
５６  モータ
５７  コーナカバー
６  ドレンパン
６１  排水口
７  ドレンキャップ
８  保護部材
８１  断熱材
８２  当接部
８３  閉塞部
８４  装着片
８５  ノックアウト部
９  装着部
９１  ねじ孔
９２  取付孔
１０  仮固定部
１０１  係止孔
１０２  係止爪
１１  表示部
１２  フロートスイッチ
１３  ドレンポンプ
【図１】
0004888435.tif 000002
【図２】
0004888435.tif 000003
【図３】
0004888435.tif 000004
【図４】
0004888435.tif 000005
【図５】
0004888435.tif 000006